(57)【要約】【課題】横長の複数の壁パネルを上下方向に積み重ねて構築される壁面の一部の壁パネルを抜いてその部分に幅広の窓を作業性良く容易に組み込むことができる壁面への窓組込み構造を提供すること。【解決手段】横長の複数の壁パネル２０を上下方向に積み重ねて接合することによって構成される壁面の一部に窓を組み込む構造として、前記壁面の少なくとも一面において中間高さに位置する少なくとも１枚の壁パネルを抜き、その上に位置する上壁パネル２０Ｈの下端面と下に位置する下壁パネル２０Ｌの上端面に横窓枠材４４をそれぞれ取り付けるとともに、前記コーナーポストに取り付けられた左右一対の縦窓枠材４６を上下一対の前記横窓枠材４４間に介設し、これらの横窓枠材４４と縦窓枠材４６とで構成される矩形枠体５１に窓枠を組み付けることによって、壁面の一部に窓を組み込む構成とする。【選択図】図２０
2006016829.tif 000002
【特許請求の範囲】
【請求項１】
フロア部材のコナー部にコーナーポストを略垂直に起立した状態で固定し、フロア部材の周縁に沿って横長の複数の壁パネルを上下方向に積み重ねて接合するとともに、各壁パネルの両側端縁を前記コーナーポストに結合することによって構成される壁面の一部に窓を組み込む構造であって、
前記壁面の少なくとも一面において中間高さに位置する少なくとも１枚の壁パネルを抜き、その上に位置する上壁パネルの下端面と下に位置する下壁パネルの上端面に横窓枠材をそれぞれ取り付けるとともに、前記コーナーポストに取り付けられた左右一対の縦窓枠材を上下一対の前記横窓枠材間に介設し、これらの横窓枠材と縦窓枠材とで構成される矩形枠体に窓枠を組み付けることによって、壁面の一部に窓を組み込むことを特徴とする壁面への窓組込み構造。
【請求項２】
少なくとも前記上壁パネルの下端面に取り付けられた前記横窓枠材と前記縦窓枠材のコーナー部にＬアングル材を取り付けたことを特徴とする請求項１記載の壁面への窓組込み構造。
【発明の詳細な説明】
【技術分野】
【０００１】
本発明は、横長の複数の壁パネルを上下方向に積み重ねて構築されるユニットバスルーム等の壁面の一部に幅広の窓を組み込む場合に好適な壁面への窓組込み構造に関するものである。
【背景技術】
【０００２】
例えば、システムバスルームの壁面を構築する形態として、図２１に示すように、横長の複数の壁パネル２０を上下方向に積み重ねて接合する方式が提案されている（特許文献１参照）。尚、壁パネルの接合構造としては例えば特許文献１に開示されている。
【０００３】
ところで、図２１に示すように、横長の複数の壁パネル２０を上下方向に積み重ねてシステムバスルームの壁面を構築する場合において、壁の一部に窓７０を組み込む場合には、例えば壁面の一面において中間高さに位置する１枚の壁パネル（図示例では上から３段目の壁パネル）２０を抜き、その部分に幅広の窓７０を組み込むことが考えられる。
【０００４】
【特許文献１】特許第３３０７６１４号公報
【発明の開示】
【発明が解決しようとする課題】
【０００５】
ところが、上述のように１枚の壁パネル２０を抜いた場合（正確には、その部分に最初から壁パネル２０を組み込まない場合）に、その上に位置する上壁パネル２０を支える手段を設けないと該上壁パネル２０が自重で落下するという不具合が発生する。
【０００６】
本発明は上記問題に鑑みてなされたもので、その目的とする処は、横長の複数の壁パネルを上下方向に積み重ねて構築される壁面の一部の壁パネルを抜いてその部分に幅広の窓を作業性良く容易に組み込むことができる壁面への窓組込み構造を提供することにある。
【課題を解決するための手段】
【０００７】
上記目的を達成するため、請求項１記載の発明は、フロア部材のコナー部にコーナーポストを略垂直に起立した状態で固定し、フロア部材の周縁に沿って横長の複数の壁パネルを上下方向に積み重ねて接合するとともに、各壁パネルの両側端縁を前記コーナーポストに結合することによって構成される壁面の一部に窓を組み込む構造として、前記壁面の少なくとも一面において中間高さに位置する少なくとも１枚の壁パネルを抜き、その上に位置する上壁パネルの下端面と下に位置する下壁パネルの上端面に横窓枠材をそれぞれ取り付けるとともに、前記コーナーポストに取り付けられた左右一対の縦窓枠材を上下一対の前記横窓枠材間に介設し、これらの横窓枠材と縦窓枠材とで構成される矩形枠体に窓枠を組み付けることによって、壁面の一部に窓を組み込む構成を採用することを特徴とする。
【０００８】
請求項２記載の発明は、請求項１記載の発明において、少なくとも前記上壁パネルの下端面に取り付けられた前記横窓枠材と前記縦窓枠材のコーナー部にＬアングル材を取り付けたことを特徴とする。
【発明の効果】
【０００９】
請求項１記載の発明によれば、抜かれた壁パネルの上に位置する上壁パネルはその両側部が縦窓枠材によって支えられるため、これが自重で落下することがなく、抜かれた壁パネルによって壁面に形成される空間の周囲が上下一対の横窓枠材と左右一対の縦窓枠材によって囲まれ、これらの横窓枠材と縦窓枠材によって形成される矩形枠体に窓枠を組み付けて幅広の窓を作業性良く容易に組み込むことができる。
【００１０】
請求項２記載の発明によれば、上壁パネルの縦窓枠材による支持がＬアングル材によって補強されるため、上壁パネルが左右一対の縦窓枠材によって一層確実に支持される。
【発明を実施するための最良の形態】
【００１１】
以下に本発明の実施の形態を添付図面に基づいて説明する。
【００１２】
本実施の形態は、図２１に示すユニットバスルームの壁面の一部に幅広の窓７０を組み込むものであって、先ず、壁面の構築要領について説明する。
【００１３】
最初に、ユニットバスルームの洗い場を構成する防水パネル４０の四隅にコーナーポスト３０が図１〜図４に示す手順によって立設される。尚、図１〜図４はコーナーポストの固定要領をその工程順に示す部分斜視図である。
【００１４】
コーナーポスト３０は、例えばアルミニウムの角パイプ材で構成され、これを図２１に示したユニットバスルームの防水パネル４０の四隅に垂直状態で固定するに際しては、先ず、図１に示すように、防水パネル４０のコーナー部に穿設された下穴４１にコーキングを施した後、コーナーポスト固定部材１を、そのベース部２に形成された不図示のビス孔に上方から挿通する１本のビス７を防水パネル４０側の前記下穴４１にねじ込むことによって、図２に示すように、防水パネル４０のコーナー部に固定する。
【００１５】
上述のようにコーナーポスト固定部材１が防水パネル４０のコーナー部に固定されると、図３に示すように、コーナーポスト３０を垂直に立てた状態で、その下端部をコーナーポスト固定部材１に差し込んで、その内面をコーナーポスト固定部材１の嵌合柱部３の外側面にそれぞれ嵌合させる（図４参照）。すると、この嵌合によって、コーナーポスト３０がコーナーポスト固定部材１によって略垂直状態に固定されるが、その後、図３に示すように、コーナーポスト３０の下端側部に穿設された下穴３５にビス８を通し、このビス８をコーナーポスト固定部材１にねじ込むことによって、コーナーポスト３０を一層確実に固定することができる。
【００１６】
以上の作業を他のコーナー部についても同様に行うことによって、図２１に示すユニットバスルームの防水パネル４０の四隅にコーナーポスト３０を略垂直状態で固定することができる。
【００１７】
次に、壁パネル２０を上下に積み重ねて接合することによって壁面を構成するが、その要領を図５〜図７に基づいて説明する。尚、図５〜図７は上下の壁パネルの接合要領をその工程順に示す部分縦断面図であり、図５は接合前の状態、図６は接合中の状態、図は接合後の状態（図のＡ−Ａ線断面図）をそれぞれ示している。
【００１８】
本実施の形態に係る接合方法においては、下方の壁パネル２０Ａの上に上方の壁パネル２０Ｂが両者の間にアルミニウム製のモール材４を介して積み重ねられて接合される。
【００１９】
即ち、図５に示すように既に接合された下方の壁パネル２０Ａの上端面にモール材４がセットされ、図６に示すように、該モール材４の下方の凸部４ｂが下方の壁パネル２０Ａの上端面の凹部５に嵌め込まれる。尚、上下の壁パネル２０Ａ，２０Ｂの上下端面に形成された凹部５には止水材６がそれぞれ設けられている。
【００２０】
そして、上述のようにモール材４が下方の壁パネル２０Ａの上端面にセットされると、上方の壁パネル２０Ｂを下方へと移動させてその凹部５をモール材４の上方の凸部４ａに嵌め込み、その状態を維持したまま、この上方の壁パネル２０Ｂを、図７に示すように、その下端接合面がモール材４の目地部４ｃ，４ｄに当接するまで押し下げる。すると、図７に示すように、モール材４によって上方の壁パネル２０Ｂが下方の壁パネル２０Ａ上に積み重ねられて接合され、上下の壁パネル２０Ａ，２０Ｂ間の目地部にはモール材４の目地部４ｃ，４ｄが介在する。
【００２１】
以上のようにして上下の壁パネル２０Ａ，２０Ｂがモール材４によって接合されると、図７に示すように、モール材４のバスルーム側の目地部４ｃに形成された嵌合溝４ｅに目地材１０が嵌め込まれ、接合された上下の壁パネル２０Ａ，２０Ｂの接合端面間の隙間が目地材１０によってバスルーム側（内面側）から覆われて人目から隠される。
【００２２】
その後は、以上と同様の要領によって複数の壁パネル２０同士をモール材４を用いた凹凸嵌合によって上下方向に積み重ねて接合し、モール材４の嵌合溝４ｅに目地材１０を嵌め込んで両壁パネル２０の接合端面間の隙間を該目地材１０で覆う作業が繰り返される。
【００２３】
次に、各コーナーポストへの壁パネルの結合方法を図８〜図１２に基づいて説明する。尚、図８〜図１２は壁パネルの結合要領をその工程順に示す部分斜視図である。
【００２４】
壁パネル２０のコーナーポスト３０への結合に際しては、図８に示すように、コーナーポスト３０に取り付けられた結合部材２１Ａの頭部２４を連結部材１１の一方の係合孔１２の挿通孔部１２ａに通した後、連結部材１１のスリット孔部１２ｂに結合部材２１Ａの係合部を係合させ、連結部材１１をスリット孔部１２ｂに形成された不図示の突起が結合部材２１Ａの係合部の上端面に当接するまで押し下げて該連結部材１１を図９に示すように結合部材２１Ａに仮止めする。
【００２５】
上述のように連結部材１１がコーナーポスト３０側の結合部材２１Ａに仮止めされると、その状態を維持したまま、壁パネル２０を図９に示すように略垂直に起立させ、図１０に示すように、該壁パネル２０に取り付けられた結合部材２１Ｂの頭部２４を連結部材１１の他方の係合孔１３の挿通孔部１３ａに通す。尚、このとき、連結部材１１に形成された２つの係合孔１２，１３の挿通孔部１２ａ，１３ａのうち、一方の係合孔１３の挿通孔部１３ａの上下方向長さを他方の係合孔１２の挿通孔部１２ａの長さよりも長く設定したため、壁パネル２０を略垂直に起こしてこれに取り付けられた結合部材２１Ｂを連結部材１１の係合孔１３の挿通孔部１３ａにそのまま通すことができる。
【００２６】
而して、上述のように壁パネル２０に取り付けられた結合部材２１Ｂの頭部２４を連結部材１１の他方の係合孔１３の挿通孔部１３ａに通した状態で、連結部材１１を多少押し下げて係合孔１３のスリット孔部１３ｂに結合部材２１Ａの係合部を係合させる。すると、図１０に示すように、壁パネル２０は連結部材１１によってコーナーポスト３０に仮止めされる。
【００２７】
その後、図１１に示すように、連結部材１１の上端面に薄い当て木４２を添え、上から例えばプスチックハンマー４３で連結部材１１の上端面を叩き込めば、該連結部材１１は、これに形成された係合孔１２，１３のスリット孔部１２ｂ，１３ｂに係合する結合部材２１Ａ，２１Ｂの係合部に沿って下方へと押し込まれ、両スリット孔部１２ｂ，１３ｂの上端面が結合部材２１Ａ，２１Ｂの係合部の上端面に当接した時点で両結合部材２１Ａ，２１Ｂが連結部材１１によって係止されるため、図１２に示すように、結合部材２１Ａ，２１Ｂと連結部材１１から成る結合具によって壁パネル２０の側端縁の上部がコーナーポスト３０に結合される。
【００２８】
以上の作業を各パネル２０に対して繰り返すことによって、上下方向に積み重ねて接合される壁パネル２０の両側端縁がコーナーポスト３０に順次結合され、図２１に示すようなユニットバスルームの側壁が構築される。
【００２９】
次に、本発明の要旨を構成する壁面への前記窓７０の組込み構造を図１３〜図２０に基づいて説明する。尚、図１３は横窓枠材の下壁パネルへの取付要領を示す斜視図、図１４は同部分断面図、図１５は横窓枠材の上壁パネルへの取付要領を示す斜視図、図１６は縦窓枠材の取付要領を示す斜視図、図１７は取付後の縦窓枠材を示す斜視図、図１８及び図１９はＬアングル材の取付要領を示す斜視図、図２０は矩形枠体を示す斜視図である。
【００３０】
本実施の形態においては、図２１に示す窓７０の組込みに際しては、図２１に示すユニットバスルームの浴槽４３に面する１つの面において中間高さ（図示例では上から３段目）に位置する１枚の壁パネル２０を抜き（実際には、その壁パネル２０を最初から組み付けないでその部分に空間Ｓを形成しておく）、図１３及び図１４に示すように、その下に位置する下壁パネル（以下、「窓下パネル」と称する）２０Ｌの上端面にアルミニウム製の各パイプ状の横窓枠材４４を複数のビス４５によって取り付ける。尚、このとき、図１４に示すように、横窓枠材４４の一端面を窓下パネル２０Ｌの内面（室内側の面）に合わせる。
【００３１】
同様に、図１５に示すように、抜いた壁パネル２０の上に位置する上壁パネル（以下、「窓上パネル」と称する）２０Ｈの下端面に同様の横窓枠材４４を複数のビス４５によって取り付ける。
【００３２】
次に、図１６に示すように、抜いた壁パネル２０によって形成される空間Ｓの左右の側端部にアルミニウム製の横断面コの字状のチャンネル材から成る縦窓枠材４６を前記コーナーポスト３０に沿って下方へと降ろし（図１６には一方の縦窓枠材４６のみ図示）、その下端を前記横窓枠材４４の段部４４ａ，４４ｂ（図１４参照）に係合させ、該縦窓枠材４６の下端部を図１７に示すようにビス４７によっコーナーポスト３０に固定する。すると、抜いた壁パネル２０によって形成される空間Ｓの左右の側端部に縦窓枠材４６が垂直に立設される。
【００３３】
その後、窓上パネル２０Ｈを前記横窓枠材４４を下にして下方へと降ろし、図１８に示すように、その下端面に取り付けられた横窓枠材４４の段部４４ａ，４４ｂを縦窓枠材４６の上端面に係合させることによって、該窓上パネル２０Ｈの両側部を縦窓枠材４６に支持せしめる。
【００３４】
次に、図１８に示すように、窓上パネル２０Ｈの下端面に取り付けられた横窓枠材４６と縦窓枠材４６のコーナー部にＬアングル材４８を取り付けてその部分を補強する（図１８には一方のコーナー部のみ図示）。即ち、Ｌアングル材４８の垂直部に形成された上下方向に長い上下２つの長孔４８ａにビス４９をそれぞれ通し、これらのビス４９によってＬアングル４８をコーナーポスト３０に仮止めする。次に、Ｌアングル材４８を長孔４８ａによって移動が許容される範囲で上方へ持ち上げてその水平部を横窓枠材４４に当て、その状態で図１９に示すようにＬアングル材４８の水平部に形成された円孔４８ｂにビス５０を下から通し、このビス５０で該Ｌアングル材４８の水平部を横窓枠材４４に固定した後、２本の前記ビス４９を締め付けてＬアングル材４８の垂直部を縦窓枠材４６に固定することによって、Ｌアングル材４８が横窓枠材４４と縦窓枠材４６のコーナー部に取り付けられてその部分を補強する。
【００３５】
以上によって、図２０に示すように、１枚の壁パネル２０を抜くことによって壁面の一部に形成される幅広の空間部Ｓの周囲が上下一対の横窓枠材４４と左右一対の縦窓枠材４６によって囲まれ、これらの横窓枠材４４と縦窓枠材４６によって形成される矩形枠体５１に図２１に示す窓枠６０を組み付けることによって、ユニットバスルームの壁面の一部に幅広の窓７０を組み込むことができる。
【００３６】
而して、本実施の形態によれば、窓上パネル２０Ｈはその両側部が縦窓枠材４６によって支えられるため、これが自重で落下することがなく、幅広の窓７０を壁面の一部に作業性良く容易に組み込むことができる。そして、窓上パネル２０Ｈの縦窓枠材４６による支持がＬアングル材４８によって補強されるため、窓上パネル２０Ｌが左右一対の縦窓枠材４６によって一層確実に支持される。
【産業上の利用可能性】
【００３７】
本発明は、ユニットバスルームの壁面の他、洗面室等、他の任意の部屋の壁面の一部に窓を組み込む構造に対して適用可能である。
【図面の簡単な説明】
【００３８】
【図１】本発明に係るコーナーポスト固定部材とコーナーポストの斜視図である。
【図２】本発明に係るコーナーポスト固定部材の平面図、（ｂ）は同コーナーポスト固定部材の側面図（（ａ）の矢視Ａ方向の図）である。
【図３】本発明に係るコーナーポスト固定部材を用いたコーナーポストの固定要領を示す部分斜視図である。
【図４】本発明に係るコーナーポスト固定部材を用いたコーナーポストの固定要領を示す部分斜視図である。
【図５】本発明に係るコーナーポスト固定部材を用いたコーナーポストの固定要領を示す部分斜視図である。
【図６】本発明に係るコーナーポスト固定部材を用いたコーナーポストの固定要領を示す部分斜視図である。
【図７】壁パネルのコーナーポストへの結合要領を示す部分斜視図である。
【図８】壁パネルのコーナーポストへの結合要領を示す部分斜視図である。
【図９】壁パネルのコーナーポストへの結合要領を示す部分斜視図である。
【図１０】壁パネルのコーナーポストへの結合要領を示す部分斜視図である。
【図１１】壁パネルのコーナーポストへの結合要領を示す部分斜視図である。
【図１２】ユニットバスルームの斜視図である。
【図１３】本発明に係る窓組込み構造における横窓枠材の下壁パネルへの取付要領を示す斜視図である。
【図１４】本発明に係る窓組込み構造における横窓枠材の下壁パネルへの取付要領を示す部分断面図である。
【図１５】本発明に係る窓組込み構造における横窓枠材の上壁パネルへの取付要領を示す斜視図である。
【図１６】本発明に係る窓組込み構造における縦窓枠材の取付要領を示す斜視図である。
【図１７】本発明に係る窓組込み構造における取付後の縦窓枠材を示す斜視図である。
【図１８】本発明に係る窓組込み構造におけるＬアングル材の取付要領を示す斜視図である。
【図１９】本発明に係る窓組込み構造におけるＬアングル材の取付要領を示す斜視図である。
【図２０】本発明に係る窓組込み構造における矩形枠体を示す斜視図である。
【図２１】本発明に係る窓組込み構造を備えるユニットバスルームの斜視図である。
【符号の説明】
【００３９】
１          コーナーポスト固定部材
２０        壁パネル
２０Ｈ      窓上パネル（上壁パネル）
２０Ｌ      窓下パネル（下壁パネル）
３０        コーナーポスト
４０        防水パネル（フロア部材）
４４        横窓枠材
４６        縦窓枠材
４８        Ｌアングル材
５１        矩形枠体
６０        窓枠
７０        窓
【図１】
2006016829.tif 000003
【図２】
2006016829.tif 000004
【図３】
2006016829.tif 000005
【図４】
2006016829.tif 000006
【図５】
2006016829.tif 000007
【図６】
2006016829.tif 000008
【図７】
2006016829.tif 000009
【図８】
2006016829.tif 000010
【図９】
2006016829.tif 000011
【図１０】
2006016829.tif 000012
【図１１】
2006016829.tif 000013
【図１２】
2006016829.tif 000014
【図１３】
2006016829.tif 000015
【図１４】
2006016829.tif 000016
【図１５】
2006016829.tif 000017
【図１６】
2006016829.tif 000018
【図１７】
2006016829.tif 000019
【図１８】
2006016829.tif 000020
【図１９】
2006016829.tif 000021
【図２０】
2006016829.tif 000022
【図２１】
2006016829.tif 000023